(57)【要約】【課題】表示領域（画面）上に音声を定位可能とする表示装置を提供すること。【解決手段】表示装置１１は、マルチチャンネルの音声を出力する。表示装置１１は、表示パネル１２と、センターチャンネル以外の音声信号が供給されるスピーカー１３Ｌ、１３Ｒと、表示パネル１２の背面に設けられ、センターチャンネルの音声信号が供給される加振器１４と、を備える。加振器１４は、供給されるセンターチャンネル用の音声信号に基づいて、振動する。表示パネル１２は、加振器１４が振動することにより、音声を出力する。【選択図】図１
2020127060.tif 000002
【特許請求の範囲】
【請求項１】
マルチチャンネルの音声を出力する表示装置であって、
表示パネルと、
センターチャンネル以外の音声信号が供給されるスピーカーと、
前記表示パネルの背面に設けられ、前記センターチャンネルの音声信号が供給される加振器と、
を備えることを特徴とする表示装置。
【請求項２】
前記加振器は、供給される前記センターチャンネル用の音声信号に基づいて、振動し、
前記表示パネルは、前記加振器が振動することにより、音声を出力することを特徴とする請求項１に記載の表示装置。
【請求項３】
前記スピーカーは、前記表示パネルの表示領域と重複しない位置に設けられていることを特徴とする請求項１又は２に記載の表示装置。
【請求項４】
前記スピーカーは、
左チャンネルの音声信号が供給される左チャンネル用のスピーカーと、
右チャンネルの音声信号が供給される右チャンネル用のスピーカーと、を含むことを特徴とする請求項１〜３のいずれか１項に記載の表示装置。
【請求項５】
前記左チャンネル用のスピーカー、及び、前記右チャンネル用のスピーカーは、前記表示領域の下方に設けられていることを特徴とする請求項４に記載の表示装置。
【請求項６】
前記左チャンネル用のスピーカー、及び、前記右チャンネル用のスピーカーは、前記表示領域の左右両側に設けられていることを特徴とする請求項４に記載の表示装置。
【請求項７】
前記加振器は、前記表示パネルの背面の中心からずれた位置に設けられることを特徴とする請求項１〜６のいずれか１項に記載の表示装置。
【請求項８】
前記加振器は、前記表パネルの背面の中心に設けられることを特徴とする請求項１〜６のいずれか１項に記載の表示装置。
【請求項９】
前記加振器は、２つであり、
一方の前記加振器は、前記表示パネルの背面の中心からずれた位置に設けられ、
他方の前記加振器は、一方の前記加振器に対し、前記表示パネルの長手方向と垂直な方向と線対称の位置に設けられていることを特徴とする請求項１〜６のいずれか１項に記載の表示装置。
【請求項１０】
前記表示パネルの背面側に設けられ、低域の音声信号が供給されるサブウーファーをさらに備えることを特徴とする請求項１〜９のいずれか１項に記載の表示装置。
【発明の詳細な説明】
【技術分野】
【０００１】
本発明は、マルチチャンネルの音声を出力する表示装置に関する。
【背景技術】
【０００２】
ディスプレイ、テレビジョン装置等の表示装置には、音声を再生するために、スピーカーが設けられている。例えば、表示装置において、左チャンネル、右チャンネル、センターチャンネル等を含むマルチチャンネルの音声を出力する場合、複数のスピーカーを設ける必要がある（例えば、特許文献１参照。）。例えば、図５に示すように、左チャンネル用、右チャンネル用、及び、センターチャンネル用のスピーカー１０３Ｌ、１０３Ｒ、１００３Ｃは、表示装置１０１の表示パネル１０２（表示領域）の下に設けられる。また、例えば、図６に示すように、左チャンネル用のスピーカー１０３Ｌは、表示パネル１０２の左に設けられ、右チャンネル用のスピーカー１０３Ｒは、表示パネル１０２の右に設けられ、センターチャンネル用のスピーカー１０３Ｃは、表示パネル１０２の下に設けられる。
【０００３】
なお、センターチャンネル用のスピーカー１０３Ｃは、表示パネル１０２の上に設けられていてもよい。しかし、図示しないが、天井反射型のスピーカーが、表示パネルの上に設けられていた場合、センターチャンネル用のスピーカーは、スペースの問題で、表示パネルの下に設けられることとなる。
【先行技術文献】
【特許文献】
【０００４】
【特許文献１】特許第６２３６５０３号公報
【発明の概要】
【発明が解決しようとする課題】
【０００５】
しかしながら、上述のように、センターチャンネル用のスピーカー１０３Ｃが、表示パネル１０１の下に設けられた場合、表示領域（画面）上に音声が定位しないという問題がある。
【０００６】
本発明の目的は、表示領域（画面）上に音声を定位可能とする表示装置を提供することである。
【課題を解決するための手段】
【０００７】
第１の発明の表示装置は、マルチチャンネルの音声を出力する表示装置であって、表示パネルと、センターチャンネル以外の音声信号が供給されるスピーカーと、前記表示パネルの背面に設けられ、前記センターチャンネルの音声信号が供給される加振器と、を備えることを特徴とする。
【０００８】
本発明では、加振器は、表示パネルの背面に設けられ、センターチャンネルの音声信号が供給される。加振器は、センターチャンネル用の音声信号に基づいて振動し、表示パネルは、加振器が振動することによって、音声を出力する。このように、表示パネルから音声が出力されることで、音声が表示領域（画面）上に定位する。従って、本発明によれば、表示領域（画面）上に音声を定位させることができる。これにより、映像と音声との最適な融合が創出される。
【０００９】
第２の発明の表示装置は、第１の発明の表示装置において、前記加振器は、供給される前記センターチャンネル用の音声信号に基づいて、振動し、前記表示パネルは、前記加振器が振動することにより、音声を出力することを特徴とする。
【００１０】
第３の発明の表示装置は、第１又は第２の発明の表示装置において、前記スピーカーは、前記表示パネルの表示領域と重複しない位置に設けられていることを特徴とする。
【００１１】
第４の発明の表示装置は、第１〜第３のいずれかの発明の表示装置において、前記スピーカーは、左チャンネルの音声信号が供給される左チャンネル用のスピーカーと、右チャンネルの音声信号が供給される右チャンネル用のスピーカーと、を含むことを特徴とする。
【００１２】
第５の発明の表示装置は、第４の発明の表示装置において、前記左チャンネル用のスピーカー、及び、前記右チャンネル用のスピーカーは、前記表示領域の下方に設けられていることを特徴とする。
【００１３】
第６の発明の表示装置は、第４の発明の表示装置において、前記左チャンネル用のスピーカー、及び、前記右チャンネル用のスピーカーは、前記表示領域の左右両側に設けられていることを特徴とする。
【００１４】
第７の発明の表示装置は、第１〜第６のいずれかの発明の表示装置において、前記加振器は、前記表示パネルの背面の中心からずれた位置に設けられることを特徴とする。
【００１５】
第８の発明の表示装置は、第１〜第６のいずれかの発明の表示装置において、前記加振器は、前記表パネルの背面の中心に設けられることを特徴とする。
【００１６】
第９の発明の表示装置は、第１〜第６のいずれかの発明の表示装置において、前記加振器は、２つであり、一方の前記加振器は、前記表示パネルの背面の中心からずれた位置に設けられ、他方の前記加振器は、一方の前記加振器に対し、前記表示パネルの長手方向と垂直な方向と線対称の位置に設けられていることを特徴とする。
【００１７】
第１０の発明の表示装置は、第１〜第９のいずれかの発明の表示装置において、前記表示パネルの背面側に設けられ、低域の音声信号が供給されるサブウーファーをさらに備えることを特徴とする。
【発明の効果】
【００１８】
本発明によれば、表示領域（画面）上に音声を定位させることができる。
【図面の簡単な説明】
【００１９】
【図１】本発明の第１実施形態に係る表示装置の概略を示す図である。
【図２】本発明の第２実施形態に係る表示装置の概略を示す図である。
【図３】本発明の第３実施形態に係る表示装置の概略を示す図である。
【図４】本発明の第４実施形態に係る表示装置の概略を示す図である。
【図５】従来の表示装置の概略を示す図である。
【図６】従来の表示装置の概略を示す図である。
【発明を実施するための形態】
【００２０】
以下、本発明の実施形態について説明する。
【００２１】
図１は、本発明の第１実施形態に係る表示装置の概略を示す図である。表示装置１は、例えば、左チャンネル、右チャンネル、センターチャンネルを含む、マルチチャンネルの音声を出力する。図１に示すように、表示装置１１は、表示パネル１２、スピーカー１３Ｌ、スピーカー１３Ｒ、加振器１４を備える。
【００２２】
表示パネル１２は、画像を表示する。表示パネル１２は、略矩形状である。表示パネル１２は、例えば、有機ＥＬパネル、液晶パネル、プラズマディスプレイパネル、ＬＥＤパネル等である。例えば、表示パネル１２が、液晶パネルである場合、ＬＥＤが実装される基板を含む。
【００２３】
スピーカー１３Ｌは、左チャンネル用のスピーカーである。スピーカー１３Ｌには、左チャンネルの音声信号が供給される。スピーカー１３Ｌは、表示パネル１２の表示領域の下方に設けられている。スピーカー１３Ｒは、右チャンネル用のスピーカーである。スピーカー１３Ｒには、右チャンネルの音声信号が供給される。スピーカー１３Ｌ、１３Ｒは、表示パネル１２の表示領域とは重複しない位置に設けられている。
【００２４】
加振器１４は、表示パネル１２の背面に設けられている。加振器１４は、例えば、表示パネル１２の背面に、両面テープにより、貼り付けられている。加振器１４には、センターチャンネルの音声信号が供給される。加振器１４は、表示パネル１２の背面の中心から、右上にずれた位置に設けられている。表示領域を中心とし、表示領域の上下方向の長さの半分を半径とする円の、２０パーセントの領域を中心とした場合、例えば、加振器１４は、定義した中心内には位置しない。加振器１４は、供給されるセンターチャンネル用の音声信号に基づいて、振動する。表示パネル１２は、加振器１４が振動することにより、音声を出力する。
【００２５】
以上説明したように、本実施形態では、加振器１４は、表示パネル１２の背面に設けられ、センターチャンネルの音声信号が供給される。加振器１４は、センターチャンネル用の音声信号に基づいて振動し、表示パネル１２は、加振器１４が振動することによって、音声を出力する。このように、表示パネル１２から音声が出力されることで、音声が表示領域（画面）上に定位する。従って、本実施形態によれば、音声を表示領域（画面）上に定位させることができる。これにより、映像と音声との最適な融合が創出される。
【００２６】
図２は、本発明の第２実施形態に係る表示装置の概略を示す図である。第２実施形態に係る表示装置２１は、第１実施形態に係る表示装置２２と比べて、サブウーファー２５が追加されている構成が異なる。サブウーファー２５は、表示パネル２２の背面側に設けられている。サブウーファー２５には、低域の音声信号が供給される。なお、表示パネル２２、スピーカー２３Ｌ、２３Ｒ、加振器２４は、それぞれ、表示パネル１２、スピーカー１３Ｌ、１３Ｒ、加振器１４と同様の構成である。
【００２７】
図３は、本発明の第３実施形態に係る表示装置の概略を示す図である。第３実施形態に係る表示装置３１は、第２実施形態に係る表示装置２２と比べて、スピーカー３３Ｌ、３３Ｒが、表示パネル１２の表示領域の左右両側に設けられている構成が異なる。左チャンネル用のスピーカー３３Ｌは、表示パネル３２の表示領域の左側に設けられている。右チャンネル用のスピーカー３３Ｒは、表示パネル３２の表示領域の右側に設けられている。なお、表示パネル３２、加振器３４は、それぞれ、表示パネル２２、加振器２４と同様の構成である。
【００２８】
図４は、本発明の第４実施形態に係る表示装置の概略を示す図である。第４実施形態に係る表示装置４１は、第２実施形態に係る表示装置２１と比べて、加振器４４が２つである構成が異なる。左側の加振器４４は、第２実施形態に係る加振器２４と同様の構成である右側の加振器２４に対して、表示パネル１２の長手方向と垂直な方向と線対称の位置に設けられている。なお、表示パネル４２、スピーカー４３Ｌ、４３Ｒは、それぞれ、表示パネル２２、スピーカー２３Ｌ、２３Ｒと同様の構成である。
【００２９】
ここで、先行技術との差異を説明する。特開２０１１−１３８０２０号公報には、ＬＥＤ基板の背面側の中心に、加振手段を設ける構成が開示されているが、マルチチャンネルについての開示はない。特開２００９−１００２２３号公報には、有機ＥＬパネルの背面側の中心に、振動アクチュエータを設ける構成が開示されているが、マルチチャンネルについての開示はない。特開２０１８−０９３４６９号公報には、表示パネルの背面側に、アクチュエータを設ける構成が開示されているが、マルチチャンネルについての開示はない。特許第６４３１８８９号公報には、表示パネルの背面側の中心に、音響発生アクチュエータを設ける構成が開示されているが、マルチチャンネルについての開示はない。特許第５８８７５２９号公報には、表示パネルの背面側に、駆動装置を設ける構成が開示されているが、マルチチャンネルについての開示はない。特許第３７６３８４８号公報には、分布モード型音放射パネルの背面に、トランスデューサーを設ける構成が開示されているが、マルチチャンネルについての開示はない。
【００３０】
特許第４５０３４９１号公報には、左の振動パネルに左の振動子を設け、中央の振動パネルに中央の振動子を設け、右の振動パネルに右の振動子を設ける構成が開示されている。この発明では、マルチチャンネルの音声が、全て振動子で出力されるようになっている。また、振動子は、液晶表示部と重複しない領域に設けられている。
【００３１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３２】
上述の第１実施形態においては、加振器１４は、表示パネル１２の背面の中心から、右上にずれた位置に設けられている。これに限らず、表示領域を中心とし、表示領域の上下方向の長さの半分を半径とする円の、２０パーセントの領域を中心とした場合、例えば、加振器１４は、定義した中心内に位置していてもよい。
【００３３】
上述の第１実施形態においては、スピーカー１３Ｌ、１３Ｒは、表示パネル１２の表示領域の下方に設けられている。これに限らず、スピーカー１３Ｌ、１３Ｒは、表示パネル１２の背面側に設けられ、音声を表示装置１１の前方（視聴者側）に送出するようになっていてもよい。すなわち、スピーカー１３Ｌ、１３Ｒは、表示パネル１２の表示領域と重複していてもよい。
【産業上の利用可能性】
【００３４】
本発明は、マルチチャンネルの音声を出力する表示装置に関する。
【符号の説明】
【００３５】
１１、２１、３１、４１  表示装置
１２、２２、３２、４２  表示パネル
１３Ｌ、２３Ｌ、３３Ｌ、４３Ｌ  左チャンネル用のスピーカー
１３Ｒ、２３Ｒ、３３Ｒ、４３Ｒ  右チャンネル用のスピーカー
１４、２４、３４、４４  加振器
２５、３５、４５  サブウーファー
【図１】
2020127060.tif 000003
【図２】
2020127060.tif 000004
【図３】
2020127060.tif 000005
【図４】
2020127060.tif 000006
【図５】
2020127060.tif 000007
【図６】
2020127060.tif 000008